(57)【要約】【課題】本考案はスライドユニットに関し、薄型化を図ることを課題とする。【解決手段】ベースプレート１１と、スライドプレート１２と、このベースプレート１１とスライドプレート１２との間に設けられるばね部材１３とを有するスライドユニットにおいて、ばね部材１３を第１及び第２ねじりコイルばね２５，２６を組み合わせた構造とする。また、第１及び第２ねじりコイルばね２５，２６が、コイル線材を渦巻き状に巻回することにより形成された巻回部２５ａ，２６ａと、この巻回部２５ａ，２６ａからベースプレート１１に向け延出するスライド側アーム２５ｄ，２６ｄと、巻回部２５ａ，２６ａからスライドプレート１２に向け延出するベース側アーム２５ｂ，２６ｂとを有する構成とする。そして、第１及び第２ねじりコイルばね２５，２６が組み合わされた状態において、巻回部２５ａ，２６ａ、スライド側アーム２５ｄ，２６ｄ、ベース側アーム２５ｂ，２６ｂが、それぞれスライド移動の移動方向を含む面の面方向に並ぶよう構成する。【選択図】図２
0003155691.tif 000002
【実用新案登録請求の範囲】
【請求項１】
ベースプレートと、
該ベースプレートに対してスライド移動するスライドプレートと、
一端が前記ベースプレートに接続されると共に他端が前記スライドプレートに接続され、前記ベースプレートと前記スライドプレートとの間に弾性力を付勢するばね部材とを有するスライドユニットにおいて、
前記ばね部材は、複数のねじりコイルばねを組み合わせた構造を有し、
該ねじりコイルばねは、コイル線材を渦巻き状に巻回することにより形成された巻回部と、前記巻回部から前記ベースプレートに向け延出する第１のアームと、前記巻回部から前記スライドプレートに向け延出する第２のアームとを有し、
前記複数のねじりコイルばねが組み合わされた状態において、複数の前記ねじりコイルばねの前記第１のアーム、前記第２のアーム、及び前記巻回部が、それぞれ前記スライド移動の移動方向を含む面の面方向に並ぶよう構成したことを特徴とするスライドユニット。
【請求項２】
前記ばね部材は、
前記巻回部上で前記第１又は第２のアームが前記巻回部と交差する際、２層の積層構造となるよう構成したことを特徴とする請求項１記載のスライドユニット。
【請求項３】
前記第１のアームと前記ベースプレートとの接続位置及び前記第２のアームと前記スライドプレートとの接続位置に、前記第１及び第２のアームの端部を別箇に係止するフック部材を設けた請求項１又は２記載のスライドユニット。
【請求項４】
前記複数のねじりコイルばねは、前記ベースプレートと前記ベースプレートとの間で並列接続されてなる請求項１乃至３のいずれか一項に記載のスライドユニット。
【考案の詳細な説明】
【技術分野】
【０００１】
本考案はスライドユニットに係り、特に小型薄型化が図られた機器に搭載されるスライドユニットに関する。
【背景技術】
【０００２】
例えば、テンキー等が配設された第１の筐体に対して液晶表示装置等が配設された第２の筐体をスライド可能な構成とした携帯電話機が提供されている。この種の携帯電話機には、筐体のスライド動作を可能とするためにスライドユニットが内設されている。この種のスライドユニットとしては、例えば特許文献１に開示された機構が知られている。
【０００３】
特許文献１に開示されたスライドユニットは、ベースプレートと、スライドプレートと、トーションばねとを有した構成とされている。スライドプレートはベースプレートに対して移動可能な構成とされており、またトーションばねはベースプレートとスライドプレートとの間に設けられている。
【０００４】
このトーションばねは、スライドプレートの移動に伴い弾性力を蓄成しながらベースプレート上を回転移動し、所定位置を越えた時点で蓄成された弾性力によりスライドプレートを移動付勢する構成とされている。これにより、上記所定位置以降は、スライドプレートはトーションばねの弾性力によりスライドアシストされ、よってスライドプレートを自動的に移動させることができる。
【先行技術文献】
【特許文献】
【０００５】
【特許文献１】特開２００８−１４８２７１号公報
【考案の概要】
【考案が解決しようとする課題】
【０００６】
ここで、所定の弾性力を満足させるために、トーションばねのばね線径を決める必要がある。しかし、弾性力が大きくなるに従い、ばね線径が大きくなり、厚さも増えてしまう。
【０００７】
このように、ばね線材のばね線径が増えると、その分だけトーションばねの高さ（ベースプレートの表面からの高さ）が高くなってしまう。これに伴い、ベースプレートとスライドプレートの離間距離も大きく設定する必要があり、よってスライドユニットの薄型化が阻害されるという問題点があった。特に、小形化薄型化が強く求められている携帯電話機にスライドユニットを適用しようとした場合、この問題は特に重大となる。
【０００８】
本考案は上記の点に鑑みてなされたものであり、薄型化を図りうるスライドユニットを提供することを目的とする。
【課題を解決するための手段】
【０００９】
上記の課題は、第１の観点からは、
ベースプレートと、
該ベースプレートに対してスライド移動するスライドプレートと、
一端が前記ベースプレートに接続されると共に他端が前記スライドプレートに接続され、前記ベースプレートと前記スライドプレートとの間に弾性力を付勢するばね部材とを有するスライドユニットにおいて、
前記ばね部材は、複数のねじりコイルばねを組み合わせた構造を有し、
該ねじりコイルばねは、コイル線材を渦巻き状に巻回することにより形成された巻回部と、前記巻回部から前記ベースプレートに向け延出する第１のアームと、前記巻回部から前記スライドプレートに向け延出する第２のアームとを有し、
前記複数のねじりコイルばねが組み合わされた状態において、複数の前記ねじりコイルばねの前記第１のアーム、前記第２のアーム、及び前記巻回部が、それぞれ前記スライド移動の移動方向を含む面の面方向に並ぶよう構成したことを特徴とするスライドユニットにより解決することができる。
【考案の効果】
【００１０】
開示のスライドユニットによれば、複数のねじりコイルばねが組み合わされた状態において、第１及び第２のアーム、巻回部がスライド移動の移動方向を含む面の面方向に並ぶよう構成したことにより、ばね部材の薄型化を図ることができ、延いてはスライドユニットの薄型化を図ることができる。
【図面の簡単な説明】
【００１１】
【図１】図１は本考案の一実施形態であるスライドユニットを示しており、（Ａ）はスライドプレートがＸ２方向にスライドした状態を示す平面図、（Ｂ）はスライドプレートがＸ１方向にスライドした状態を示す平面図である。
【図２】図２は本考案の一実施形態であるスライドユニットを示しており、（Ａ）はスライドプレートがＸ２方向にスライドした状態を示す斜視図、（Ｂ）はスライドプレートがＸ１方向にスライドした状態を示す斜視図である。
【図３】図３は本考案の一実施形態であるばね部材を示しており、（Ａ）は正面図、（Ｂ）は右側面図である。
【図４】図４は、本考案の一実施形態であるばね部材の斜視図である。
【図５】図５は、第１ねじりコイルばねと第２ねじりコイルばねを組み合わせる方法を説明するための図である。
【図６】図６は、ベース側フック部材を拡大して示す断面図である。
【図７】図７は、第１ねじりコイルばねと第２ねじりコイルばねの接続を説明するための図である。
【考案を実施するための形態】
【００１２】
次に、本考案の実施の形態について図面と共に説明する。
【００１３】
図１乃至図４は、本考案の一実施形態であるスライドユニット１０を示している。尚、図１はスライドユニット１０の平面図であり、図２はスライドユニット１０の斜視図である。
【００１４】
スライドユニット１０は、例えばテンキー等が配設された第１の筐体に対して液晶表示装置等が配設された第２の筐体をスライド可能な構成とした携帯電話機に適用されるものである。この種の携帯電話機では、小型薄型化が臨まれていることは前述の通りである。このスライドユニット１０は、大略するとベースプレート１１、スライドプレート１２、及びばね部材１３等により構成されている。
【００１５】
ベースプレート１１は、金属板材（例えば、ステンレス等）をプレス加工により成形したものであり、平面視で略長方形状を有している。またベースプレート１１は、長辺側の両側部にガイドレール部１５がＸ１，Ｘ２方向に延在するよう形成されている。
【００１６】
また、ベースプレート１１の図中矢印Ｘ２方向側の短辺側には、携帯電話に搭載された際にフレキシブル基板（ＥＴ、ＦＰＣという）が挿通されるＦＰＣ用凹部１６が形成されている。更に、ベースプレート１１には、後述するばね部材１３が取り付けられるベース側フック部材１７が設けられている。尚、ベース側フック部材１７については、説明の便宜上、後述するものとする。
【００１７】
スライドプレート１２は、金属板材（例えば、ステンレス等）をプレス加工により成形したものであり、平面視で略長方形状を有している。このスライドプレート１２は、図中Ｙ１，Ｙ２方向の長さはベースプレート１１と略同じ長さであるが、図中Ｘ１，Ｘ２方向の長さはベースプレート１１より短く設定されている。
【００１８】
また、スライドプレート１２は、短辺側にガイド部２０がＸ１，Ｘ２方向に延在するよう形成されている。このガイド部２０はスライドプレート１２の短辺側の両側部を略コ字状に折曲したものであり、内部にガイドレール部１５が移動可能に係合する構成とされている。尚、ガイド部２０の内部に摺動特性等に優れたエンジニアリング・プラスチック（例えば、ポリアセタール樹脂）等を配設し、スライドをより円滑に行うことができる構成としてもよい。
【００１９】
一方、スライドプレート１２の中央位置にも、前記したＦＰＣというが挿通されるＦＰＣ用凹部２１が形成されている。更に、スライドプレート１２には、後述するばね部材１３が取り付けられるスライド側フック部材２２が設けられている。尚、スライド側フック部材２２についても、説明の便宜上、後述するものとする。
【００２０】
上記構成とされたスライドプレート１２は、ベースプレート１１のガイドレール部１５に案内されて図中矢印Ｘ１，Ｘ２方向に移動可能な構成とされている。図２（Ａ）及び図３（Ａ）はスライドプレート１２がＸ２方向にスライドした状態を示している。また、図２（Ｂ）及び図３（Ｂ）はスライドプレート１２がＸ１方向にスライドした状態を示している。
【００２１】
次に、ばね部材１３について説明する。
【００２２】
図３乃至図５は、本考案の一実施形態であるばね部材１３を示している。図３はばね部材１３の正面図及び左側面図であり、図４はばね部材１３の斜視図であり、更に図５は第１ねじりコイルばね２５と第２ねじりコイルばね２６とを組み合わせている状態を示す斜視図である。
【００２３】
ばね部材１３は、複数のねじりコイルばねを組み合わせた構造を有している。本実施形態では、第１ねじりコイルばね２５と第２ねじりコイルばね２６の二つのねじりコイルばねを組み合わせることによりばね部材１３を構成している。
【００２４】
この第１及び第２ねじりコイルばね２５，２６の材料となるコイル線材として、本実施形態ではピアノ線を用いている。しかしながら、第１及び第２ねじりコイルばね２５，２６の材料はこれに限定されるものではなく、種々のばね材料を適宜選定することが可能である。
【００２５】
第１及び第２ねじりコイルばね２５，２６は、ピアノ線が巻回された巻回部２５ａ，２６ａと、この巻回部２５ａ，２６ａから一の方向に延出するアーム２５ｂ，２６ｂと、巻回部２５ａ，２６ａから前記一の方向と異なる方向に延出するアーム２５ｄ，２６ｄとを有している。
【００２６】
巻回部２５ａ，２６ａは、本実施形態ではピアノ線を2.0回巻回した構成としている。また、ピアノ線を巻回して巻回部２５ａ，２６ａを形成する際、ピアノ線を渦巻き状に巻回することにより巻回部２５ａ，２６ａを形成している。
【００２７】
このように本実施形態では、ピアノ線を同一径で巻回するのではなく、渦巻き状（螺旋状）に巻回することにより巻回部２５ａ，２６ａを形成している。更に、図３（Ｂ）に示すように、二つの巻回部２５ａ，２６ａは重ならないように配置されている。具体的には、巻回部２５ａ，２６ａは、スライドプレート１２の移動の移動方向を含む面（即ち、Ｘ−Ｙ平面）の面方向に並ぶよう構成されている。これにより、巻回部２５ａ，２６ａを側面視したとき、その厚さはピアノ線の直径（図中、矢印ＤＤ１で示す）と等しくなる。
【００２８】
一方、ばね部材１３をスライドユニット１０に装着した際、アーム２５ｂ，２６ｂは、スライドプレート１２に接続されると共に、アーム２５ｄ，２６ｄはベースプレート１１に接続される。以下、アーム２５ｂ，２６ｂをスライド側アーム２５ｂ，２６ｂといい、アーム２５ｄ，２６ｄをベース側アーム２５ｄ，２６ｄというものとする。
【００２９】
スライド側アーム２５ｂ，２６ｂは先端部にスライド側端部２５ｃ，２６ｃが形成されており、このスライド側端部２５ｃ，２６ｃはスライド側フック部材２２に係止される。また、ベース側アーム２５ｄ，２６ｄは先端部にベース側端部２５ｅ，２６ｅが形成されており、このベース側端部２５ｅ，２６ｅはベース側フック部材１７に係止される。よって、ばね部材１３の一端はスライドプレート１２に接続され、他端はベースプレート１１に接続された構成となる。
【００３０】
また、第１及び第２ねじりコイルばね２５，２６を組み合わせた状態において、スライド側アーム２５ｂとスライド側アーム２６ｂは、スライドプレート１２の移動の移動方向を含む面（即ち、Ｘ−Ｙ平面）の面方向に並ぶよう構成されている。同様に、第１及び第２ねじりコイルばね２５，２６を組み合わせた状態において、ベース側アーム２５ｄとベース側アーム２６ｄは移動の移動方向を含む面（即ち、Ｘ−Ｙ平面）の面方向に並ぶよう構成されている。これにより、スライド側アーム２５ｂとスライド側アーム２６ｂを側面視したとき、またベース側アーム２５ｄとベース側アーム２６ｄを側面視したとき、その厚さはピアノ線の直径（図中、矢印ＤＤ１で示す）と等しくなる。
【００３１】
一方，スライド側アーム２５ｂ，２６ｂとベース側アーム２５ｄ，２６ｄの延出方向が異なることにより、必然的にスライド側アーム２５ｂ，２６ｂ又はベース側アーム２５ｄ，２６ｄのいずれか一方は巻回部２５ａ，２６ａに対して積層された（重なった）構成となる。本実施形態では、スライド側アーム２５ｂ，２６ｂを巻回部２５ａ，２６ａ上に積層した（重ねた）構成としている。本実施形態では、このように巻回部２５ａ，２６ａ上でスライド側アーム２５ｂ，２６ｂが巻回部２５ａ，２６ａと交差する際、２層の積層構造となるよう構成している。
【００３２】
上記のようにばね部材１３を構成することにより、第１ねじりコイルばね２５と第２ねじりコイルばね２６とを組み合わせた構成としても、高さ方向の寸法（図中、Ｚ方向の高さ。換言するとばね部材１３の厚さ）を小さくすることができる。よって、ばね部材１３をスライドユニット１０に装着するに際し、ベースプレート１１とスライドプレート１２の厚さ方向（Ｚ方向）の寸法を小さくすることができ、よってスライドユニット１０の薄型化を図ることができる。
【００３３】
ここで、ベース側フック部材１７及びスライド側フック部材２２の構造について説明する。尚、ベース側フック部材１７及びスライドプレート１２は同一構成であるため、ここではベース側フック部材１７の構成を説明し、スライド側フック部材２２の説明は省略する。
【００３４】
図６は、ベース側フック部材１７近傍を拡大して示す図であり、図１（Ａ）の矢印Ａ−Ａ線に沿う断面図である。同図に示すように、ベース側フック部材１７は、シャフト３０によりスライドユニット１０に固定された構成とされている。また、ベース側フック部材１７は樹脂製であり、本実施形態ではシャフト３０の配設位置を中心とした小径係合溝３２と大径係合溝３３が形成されている。
【００３５】
スライド側アーム２５ｂの先端部に形成されると共にベース側フック部材１７に接続されるベース側端部２５ｅ、スライド側アーム２６ｂの先端部に形成されると共にベース側フック部材１７に接続されるベース側端部２６ｅは、いずれも円形に成形されている。また、ベース側端部２５ｅ及びベース側端部２６ｅは、第１及び第２ねじりコイルばね２５，２６を組み合わせた状態において、スライドプレート１２の移動の移動方向を含む面（即ち、Ｘ−Ｙ平面）の面方向に並ぶよう構成されている。
【００３６】
このベース側端部２５ｅの直径は、図３及び図４に示すようにベース側端部２６ｅの直径よりも大きく設定している。また、ベース側フック部材１７に形成された小径係合溝３２と大径係合溝３３は、この各端部２５ｅ，２６ｅの直径に対応して設定されている。これにより、ベース側フック部材１７の内側に位置する小径係合溝３２に巻回部２６ａを係合させ、外側に位置する大径係合溝３３にスライド側アーム２６ｂを係合させることができる。
【００３７】
上記の構成のベース側フック部材１７を用いることにより、スライド側端部２５ｃとスライド側端部２６ｃは別箇に形成された係合溝３２，３３に別箇に係止される。また、上記した面方向に並んだ状態を維持しつつ、スライド側端部２５ｃ及びスライド側端部２６ｃはベース側フック部材１７に係止されるため、ベース側フック部材１７の薄型化を図ることができる。
【００３８】
次に、上記構成とされたスライドユニット１０の動作について説明する。
【００３９】
図１（Ａ）及び図２（Ａ）は、スライドプレート１２がベースプレート１１上において矢印Ｘ２方向端部に位置した状態（以下、この状態を第１の停止状態という）を示している。この第１の停止状態では、ばね部材１３はスライドプレート１２を矢印Ｘ２方向に向け弾性付勢している。尚、ガイドレール部１５のＸ２方向端部にはストッパが設けられており、このストッパにガイド部２０が当接することにより、図示される位置以上にスライドプレート１２がＸ２方向に移動することを規制している。
【００４０】
第１の停止状態からスライドプレート１２をスライドさせるには、ベースプレート１１に対してスライドプレート１２を矢印Ｘ１方向に移動させる。この時、操作者がスライドプレート１２をスライドさせる力がばね部材１３の弾性力よりも大きい場合、スライドプレート１２は矢印Ｘ１方向に移動を開始する。
【００４１】
スライドプレート１２のＸ１方向への移動により、ばね部材１３、ベース側フック部材１７、及びスライド側フック部材２２が略一直線（Ｙ１，Ｙ２方向に略一直線）になると、ばね部材１３によるＸ２方向に対する弾性力はなくなる（この状態を中立状態という）。この中立状態から、操作者がスライドプレート１２を更にＸ１方向に移動させると、ばね部材１３の弾性力の付勢方向は反転し、スライドプレート１２に対してＸ１方向に向けて弾性力を付勢するようになる。
【００４２】
従って、その後は操作者がスライドプレート１２をＸ１方向にスライド付勢しなくても（即ち、操作者がスライドプレート１２から手を離しても）、スライドプレート１２はばね部材１３の弾性力（弾性復元力）により自動的にＸ１方向に移動する。尚、このばね部材１３の弾性力により、スライドプレート１２が自動的に移動する動作をスライドアシスト動作というものとする。
【００４３】
図１（Ｂ）及び図２（Ｂ）は、スライドプレート１２がベースプレート１１上において矢印Ｘ１方向端部に位置した状態（以下、この状態を第２の停止状態という）を示している。この第２の停止状態においては、ばね部材１３はスライドプレート１２を矢印Ｘ１方向に向け弾性付勢している。尚、ガイドレール部１５のＸ１方向端部にもストッパが設けられており、このストッパにガイド部２０が当接することにより、図示される位置以上にスライドプレート１２がＸ１方向に移動することを規制している。
【００４４】
このように、本実施例に係るスライドユニット１０は、ベースプレート１１に対してスライドプレート１２を移動させる際、中立状態よりも若干先の位置までベースプレート１１を移動すれば、後はスライドアシスト動作が行われ、自動的にスライドプレート１２を移動することができる。これは、スライドプレート１２をＸ１方向に移動させる場合、またスライドプレート１２をＸ２方向に移動させる場合も同様である。よって、スライドプレート１２のスライド動作を容易に行うことができ、操作性を向上させることができる。
【００４５】
また、本実施例に係るスライドユニット１０では、ばね部材１３が二つの第１ねじりコイルばね２５及び第２ねじりコイルばね２６により構成されているが、各ねじりコイルばね２５，２６は組み合わせることにより、一つのねじりコイルばねと略同じ形状となっている。よって、二つのねじりコイルばねを別箇に配置する構成に比べ、第１及び第２ねじりコイルばね２５，２６を組み合わせたばね部材１３によれば、スペース効率を高めることができる。これにより、スライドユニット１０の小形化が図れると共に、ＦＰＣ用凹部１６，２１にＦＰＣを配設してもばね部材１３がＦＰＣに干渉することを防止できる。
【００４６】
次に、本実施形態に係るばね部材１３の特性について説明する。
【００４７】
前記のように、ばね部材１３は第１ねじりコイルばね２５と第２ねじりコイルばね２６とを組み合わせた構成とされており、第１ねじりコイルばね２５のスライド側端部２５ｃはスライド側フック部材２２に接続されると共に、ベース側端部２５ｅはベース側フック部材１７に接続される。
【００４８】
また、第２ねじりコイルばね２６のスライド側端部２６ｃはスライド側フック部材２２に接続されると共に、ベース側端部２６ｅはベース側フック部材１７に接続されている。よって、第１ねじりコイルばね２５と第２ねじりコイルばね２６は、図７のモデル図に示すように、ベース側フック部材１７とスライド側フック部材２２との間に並列に接続された構成となっている。
【００４９】
上述のように、本実施形態に係るスライドユニット１０によれば、操作性の維持を図りつつ、かつ、従来に比べてばね部材１３の薄型化を図ることができる。よって、このばね部材１３を搭載するスライドユニット１０の薄型化を図ることができ、このスライドユニット１０を搭載する電子機器（携帯端末装置等）の小形化及び薄型化に寄与することができる。
【００５０】
以上、本考案の好ましい実施形態について詳述したが、本考案は上記した特定の実施形態に限定されるものではなく、実用新案登録請求の範囲に記載された本考案の要旨の範囲内において、種々の変形・変更が可能なものである。
【符号の説明】
【００５１】
１０  スライドユニット
１１  ベースプレート
１２  スライドプレート
１３  ばね部材
１７  ベース側フック部材
２２  スライド側フック部材
２５  第１ねじりコイルばね
２６  第２ねじりコイルばね
２５ａ，２６ａ  巻回部
２５ｂ，２６ｂ  スライド側アーム
２５ｃ，２６ｃ  スライド側端部
２５ｄ，２６ｄ  ベース側アーム
２５ｅ，２６ｅ  ベース側端部
３０  シャフト
３１  カラー
３２  小径係合溝
３３  大径係合溝
【図１】
0003155691.tif 000003
【図２】
0003155691.tif 000004
【図３】
0003155691.tif 000005
【図４】
0003155691.tif 000006
【図５】
0003155691.tif 000007
【図６】
0003155691.tif 000008
【図７】
0003155691.tif 000009